【手続補正書】
【提出日】平成21年5月12日(2009.5.12)
【手続補正１】
【補正対象書類名】特許請求の範囲
【補正対象項目名】全文
【補正方法】変更
【補正の内容】
【特許請求の範囲】
【請求項１】
印刷装置であって、
モニタの接続を認識するモニタ認識手段と、
前記印刷装置に記憶された複数のジョブの中から所望のジョブを選択する選択手殴と、
前記選択したジョブのデータに対し、前記接続されたモニタの解像度に応じた解像度変換を行って、前記選択手段で選択されたジョブのプレビュー画像を生成する生成手段と、
前記生成手段によって生成された前記プレビュー画像を、前記モニタに表示する表示手段と、
を有する印刷装置。
【請求項２】
前記モニタは、タッチパネルであることを特徴とする請求項１に記載の印刷装置。
【請求項３】
前記印刷装置における印刷設定に関する画像の構成を設定する画像設定手段をさらに備え、
前記画像設定手段は、前記モニタの解像度に応じて、前記印刷設定に関する画像に含まれる印刷設定の項目の数を設定し、
前記表示手段は、前記設定された印刷設定の項目の数に応じた画像を前記モニタに表示することを特徴とする請求項１に記載の印刷装置。
【請求項４】
前記選択されたジョブのデータが所定の中間フォーマット形式で記憶されているか否か判断する判断手段をさらに備え、
前記生成手段は、前記判断手段により前記選択されたジョブのデータが所定の中間フォーマット形式で記憶されていないと判断された場合に、前記接続されたモニタの解像度に応じた解像度変換を行って、前記選択手段で選択されたジョブのプレビュー画像を生成することを特徴とする請求項１に記載の印刷装置。
【請求項５】
印刷装置であって、
モニタの接続を認識するモニタ認識手段と、
前記印刷装置に記憶された複数のジョブの中から所望のジョブを選択する選択手段と、
前記選択したジョブのデータに対し、前記接続されたモニタの解像度にあわせてラスタライズを行って、前記選択手段で選択されたジョブのプレビュー画像を生成する生成手段と、
前記生成手段によって生成された前記プレビュー画像を、前記モニタに表示する表示手段と、
を有する印刷装置。
【請求項６】
前記選択されたジョブの印刷ジョブデータが所定の中間フォーマット形式で記憶されているか否か判断する判断手段をさらに備え、
前記生成手段は、前記判断手段により前記選択されたジョブのデータが所定の中間フォーマット形式で記憶されていると判断された場合に、前記接続されたモニタの解像度にあわせてラスタライズを行って、前記選択手段で選択されたジョブのプレビュー画像を生成することを特徴とする請求項５に記載の印刷装置。
【請求項７】
印刷装置に接続されたモニタに画像を表示するための画像表示方法であって、
前記印刷装置へのモニタの接続を認識するモニタ認識ステップと、
前記印刷装置に記憶された複数のジョブの中から所望のジョブを選択する選択ステップと、
前記選択したジョブのデータに対し、前記接続されたモニタの解像度に応じた解像度変換を行って、前記選択ステップで選択されたジョブのプレビュー画像を生成する生成ステップと、
前記生成ステップによって生成された前記プレビュー画像を、前記モニタに表示する表示ステップと、
を有する画像表示方法。
【請求項８】
印刷装置に接続されたモニタに画像を表示するための画像表示方法であって、
前記印刷装置へのモニタの接続を認識するモニタ認識ステップと、
前記印刷装置に記憶された複数のジョブの中から所望のジョブを選択する選択ステップと、
前記選択したジョブのデータに対し、前記接続されたモニタの解像度にあわせてラスタライズを行って、前記選択ステップで選択されたジョブのプレビュー画像を生成する生成ステップと、
前記生成ステップによって生成された前記プレビュー画像を、前記モニタに表示する表示ステップと、
を有する画像表示方法。
【請求項９】
印刷装置に接続されたモニタに画像を表示するための画像表示プログラムであって、
前記印刷装置へのモニタの接続を認識するモニタ認識手順と、
前記印刷装置に記憶された複数のジョブの中から所望のジョブを選択する選択手順と、
前記選択したジョブのデータに対し、前記接続されたモニタの解像度に応じた解像度変換を行って、前記選択手順で選択されたジョブのプレビュー画像を生成する生成手順と、
前記生成手順によって生成された前記プレビュー画像を、前記モニタに表示する表示手順と、
をコンピュータに実行させるための画像表示プログラム。
【請求項１０】
印刷装置に接続されたモニタに画像を表示するための画像表示プログラムであって、
前記印刷装置へのモニタの接続を認識するモニタ認識手順と、
前記印刷装置に記憶された複数のジョブの中から所望のジョブを選択する選択手順と、
前記選択したジョブのデータに対し、前記接続されたモニタの解像度にあわせてラスタライズを行って、前記選択手順で選択されたジョブのプレビュー画像を生成する生成手順と、
前記生成手順によって生成された前記プレビュー画像を、前記モニタに表示する表示手順と、
をコンピュータに実行させるための画像表示プログラム。
【請求項１１】
請求項９または１０に記載の画像表示プログラムを記録したコンピュータ読み取り可能な記録媒体。
【手続補正２】
【補正対象書類名】明細書
【補正対象項目名】０００６
【補正方法】変更
【補正の内容】
【０００６】
（１）印刷装置であって、モニタの接続を認識するモニタ認識手段と、前記印刷装置に記憶された複数のジョブの中から所望のジョブを選択する選択手殴と、前記選択したジョブのデータに対し、前記接続されたモニタの解像度に応じた解像度変換を行って、前記選択手段で選択されたジョブのプレビュー画像を生成する生成手段と、前記生成手段によって生成された前記プレビュー画像を、前記モニタに表示する表示手段と、を有する印刷装置。
【手続補正３】
【補正対象書類名】明細書
【補正対象項目名】０００８
【補正方法】変更
【補正の内容】
【０００８】
（３）前記印刷装置における印刷設定に関する画像の構成を設定する画像設定手段をさらに備え、前記画像設定手段は、前記モニタの解像度に応じて、前記印刷設定に関する画像に含まれる印刷設定の項目の数を設定し、前記表示手段は、前記設定された印刷設定の項目の数に応じた画像を前記モニタに表示することを特徴とする上記（１）に記載の印刷装置。
【手続補正４】
【補正対象書類名】明細書
【補正対象項目名】０００９
【補正方法】変更
【補正の内容】
【０００９】
（４）前記選択されたジョブのデータが所定の中間フォーマット形式で記憶されているか否か判断する判断手段をさらに備え、前記生成手段は、前記判断手段により前記選択されたジョブのデータが所定の中間フォーマット形式で記憶されていないと判断された場合に、前記接続されたモニタの解像度に応じた解像度変換を行って、前記選択手段で選択されたジョブのプレビュー画像を生成することを特徴とする上記（１）に記載の印刷装置。
【手続補正５】
【補正対象書類名】明細書
【補正対象項目名】００１０
【補正方法】変更
【補正の内容】
【００１０】
（５）印刷装置であって、モニタの接続を認識するモニタ認識手段と、前記印刷装置に記憶された複数のジョブの中から所望のジョブを選択する選択手段と、前記選択したジョブのデータに対し、前記接続されたモニタの解像度にあわせてラスタライズを行って、前記選択手段で選択されたジョブのプレビュー画像を生成する生成手段と、前記生成手段によって生成された前記プレビュー画像を、前記モニタに表示する表示手段と、を有する印刷装置。
【手続補正６】
【補正対象書類名】明細書
【補正対象項目名】００１１
【補正方法】変更
【補正の内容】
【００１１】
（６）前記選択されたジョブの印刷ジョブデータが所定の中間フォーマット形式で記憶されているか否か判断する判断手段をさらに備え、前記生成手段は、前記判断手段により前記選択されたジョブのデータが所定の中間フォーマット形式で記憶されていると判断された場合に、前記接続されたモニタの解像度にあわせてラスタライズを行って、前記選択手段で選択されたジョブのプレビュー画像を生成することを特徴とする上記（５）に記載の印刷装置。
【手続補正７】
【補正対象書類名】明細書
【補正対象項目名】００１２
【補正方法】変更
【補正の内容】
【００１２】
（７）印刷装置に接続されたモニタに画像を表示するための画像表示方法であって、前記印刷装置へのモニタの接続を認識するモニタ認識ステップと、前記印刷装置に記憶された複数のジョブの中から所望のジョブを選択する選択ステップと、前記選択したジョブのデータに対し、前記接続されたモニタの解像度に応じた解像度変換を行って、前記選択ステップで選択されたジョブのプレビュー画像を生成する生成ステップと、前記生成ステップによって生成された前記プレビュー画像を、前記モニタに表示する表示ステップと、を有する画像表示方法。
【手続補正８】
【補正対象書類名】明細書
【補正対象項目名】００１３
【補正方法】変更
【補正の内容】
【００１３】
（８）印刷装置に接続されたモニタに画像を表示するための画像表示方法であって、前記印刷装置へのモニタの接続を認識するモニタ認識ステップと、前記印刷装置に記憶された複数のジョブの中から所望のジョブを選択する選択ステップと、前記選択したジョブのデータに対し、前記接続されたモニタの解像度にあわせてラスタライズを行って、前記選択ステップで選択されたジョブのプレビュー画像を生成する生成ステップと、前記生成ステップによって生成された前記プレビュー画像を、前記モニタに表示する表示ステップと、を有する画像表示方法。
【手続補正９】
【補正対象書類名】明細書
【補正対象項目名】００１４
【補正方法】変更
【補正の内容】
【００１４】
（９）印刷装置に接続されたモニタに画像を表示するための画像表示プログラムであって、前記印刷装置へのモニタの接続を認識するモニタ認識手順と、前記印刷装置に記憶された複数のジョブの中から所望のジョブを選択する選択手順と、前記選択したジョブのデータに対し、前記接続されたモニタの解像度に応じた解像度変換を行って、前記選択手順で選択されたジョブのプレビュー画像を生成する生成手順と、前記生成手順によって生成された前記プレビュー画像を、前記モニタに表示する表示手順と、をコンピュータに実行させるための画像表示プログラム。
（１０）印刷装置に接続されたモニタに画像を表示するための画像表示プログラムであって、前記印刷装置へのモニタの接続を認識するモニタ認識手順と、前記印刷装置に記憶された複数のジョブの中から所望のジョブを選択する選択手順と、前記選択したジョブのデータに対し、前記接続されたモニタの解像度にあわせてラスタライズを行って、前記選択手順で選択されたジョブのプレビュー画像を生成する生成手順と、前記生成手順によって生成された前記プレビュー画像を、前記モニタに表示する表示手順と、をコンピュータに実行させるための画像表示プログラム。
（１１）上記（９）または（１０）に記載の画像表示プログラムを記録したコンピュータ読み取り可能な記録媒体。